(57)【要約】【課題】燃焼ガスが外部に漏出することを簡易な構成によって適切に防止または抑制し、製造コストの低減を図ることが可能な温水装置を提供する。【解決手段】ファン４から燃焼用空気の供給を受けるバーナ１と、伝熱管７を有する熱交換器ＨＥ１と、バーナ１の燃焼室２９を内部に形成し、かつバーナ１により発生された燃焼ガスを熱交換器ＨＥ１に導くことが可能な燃焼室ケース２と、を備えている、温水装置ＷＨであって、燃焼室ケース２を囲むユニットケース５を、さらに備えており、このユニットケース５内のうち、燃焼室ケース２の外側領域は、燃焼室２９よりも高圧の空気圧力室５９とされている。【選択図】  図２
2019060521.tif 000002
【特許請求の範囲】
【請求項１】
ファンから燃焼用空気の供給を受けるバーナと、
熱回収用の熱交換器と、
前記バーナの燃焼室を内部に形成し、かつ前記バーナにより発生された燃焼ガスを前記熱交換器に導くことが可能とされた燃焼室ケースと、
を備えている、温水装置であって、
前記燃焼室ケースを囲むユニットケースを、さらに備えており、
このユニットケース内のうち、前記燃焼室ケースの外側領域は、前記燃焼室よりも高圧の空気圧力室とされていることを特徴とする、温水装置。
【請求項２】
請求項１に記載の温水装置であって、
前記空気圧力室は、前記ユニットケース内のうち、前記熱交換器の外側領域まで延設されており、かつ前記空気圧力室は、前記熱交換器の内側領域よりも高圧である、温水装置。
【請求項３】
請求項１または２に記載の温水装置であって、
前記ファンから吐出された燃焼用空気の一部は、前記燃焼室ケース内における前記バーナの設置領域に供給され、かつ他の一部は、前記空気圧力室に供給されるように構成されている、温水装置。
【請求項４】
請求項１ないし３のいずれかに記載の温水装置であって、
前記ユニットケースは、互いに連結可能とされたユニットケース前部とユニットケース後部とを備えており、これらユニットケース前部およびユニットケース後部は、前記燃焼室ケースおよび前記熱交換器をその前後方向から挟むようにして互いに組み付け可能とされている、温水装置。
【請求項５】
請求項４に記載の温水装置であって、
前記ユニットケース前部と前記ユニットケース後部とのそれぞれの外周にはフランジ部が設けられ、かつこれらのフランジ部どうしが互いに当接してカシメられていることにより、前記ユニットケース前部と前記ユニットケース後部との連結が図られている、温水装置。
【請求項６】
請求項４または５に記載の温水装置であって、
前記熱交換器の入水用管体部または出湯用管体部の少なくとも一方は、前記ユニットケース前部および前記ユニットケース後部の合わせ面に挟まれるようにして前記ユニットケースの内部から外部に引き出されている、温水装置。
【請求項７】
請求項１ないし６のいずれかに記載の温水装置であって、
前記燃焼室ケースの前面部には、第１の開口部が設けられ、かつこの第１の開口部は、燃焼室前蓋により閉塞可能とされており、
前記ユニットケースの前面部には、第２の開口部が設けられ、かつこの第２の開口部は、ユニットケース前蓋により閉塞可能とされており、
前記第１および第２の開口部を開放させた状態においては、前記バーナを前記ユニットケースの外部から前記燃焼室ケース内に出し入れ可能とされている、温水装置。
【請求項８】
請求項１ないし７のいずれかに記載の温水装置であって、
前記ファンおよびその駆動モータは、前記ユニットケース内に収容されている、温水装置。
【請求項９】
請求項７に記載の温水装置であって、
前記ファンおよびその駆動モータは、前記バーナの下方に位置するようにして前記ユニットケース内に収容され、かつ前記第１および第２の開口部に接近する部分ほど高さが低くなるように前下がり状に傾斜した姿勢に設けられている、温水装置。
【請求項１０】
請求項１ないし９のいずれかに記載の温水装置であって、
前記バーナに燃料ガスを供給するための燃料ガス噴出ヘッドが、前記バーナの前側に位置するようにして前記ユニットケース内に配されており、前記燃料ガス噴出ヘッドの前側領域は、前記空気圧力室の一部とされている、温水装置。
【請求項１１】
請求項１ないし１０のいずれかに記載の温水装置であって、
前記燃焼室ケースの上部には、前記熱交換器の伝熱管を嵌入保持可能な上向き開口状の凹状部が設けられている、温水装置。
【請求項１２】
請求項１ないし１１のいずれかに記載の温水装置であって、
前記熱交換器を１次熱交換器とするように、前記熱交換器とは別体で構成された湯水加熱用の２次熱交換器を、さらに備えており、
前記ユニットケースの上部には、前記ユニットケースの他の部分よりも前後幅が小さくされた幅狭部と、この幅狭部の下部の前側または後側に連設され、かつ前記２次熱交換器が載設される棚状壁部と、が設けられており、
前記幅狭部の前壁部または後壁部には、排気口が設けられ、前記バーナから上向きに進行して前記熱交換器を通過した燃焼ガスは、前記排気口を介して前記２次熱交換器に供給されるように構成されている、温水装置。
【請求項１３】
請求項１ないし１２のいずれかに記載の温水装置であって、
温度の異常上昇を感知させるための温度ヒューズが、前記空気圧力室に設けられている、温水装置。
【請求項１４】
請求項１３に記載の温水装置であって、
前記温度ヒューズが設けられている箇所に空気流れが生じるように、前記空気圧力室内の空気を前記空気圧力室とは異なる部位に流出させるための空気通路を備えている、温水装置。
【発明の詳細な説明】
【技術分野】
【０００１】
本発明は、給湯装置などの温水装置に関する。
【背景技術】
【０００２】
給湯装置として構成された温水装置の具体例として、ファンから燃焼用空気の供給を受けるバーナと、このバーナにより発生された燃焼ガスから熱回収を行なって湯水を加熱するための熱交換器とを備えたものがある。このような温水装置では、バーナを内部に収容し、かつバーナの燃焼室の周囲を囲む燃焼室ケースが具備されており、燃焼ガスはこの燃焼室ケースにより熱交換器に導かれるように構成されている。
【０００３】
このような温水装置において、燃焼室ケースや熱交換器の内部からそれらの外部に燃焼ガスが漏出することを適切に防止することが要請される。たとえば、燃焼室ケースには、バーナなどのメンテナンス用の開口部が設けられ、かつこの開口部は通常時は蓋部材によって閉塞されるが、この蓋部材の取付け箇所の気密シール性が悪いと、前記開口部から燃焼ガスが外部に漏出する。また、燃焼室ケースには、点火プラグやその他の部材がよく取付けられるが、この取付け部の気密シール性が悪いと、やはり燃焼ガスが漏出する。さらに、従来では、燃焼室ケースとしてのバーナケースと、これとは別体で形成された熱交換器の缶体とをフランジ接続する構成がよく採用されるが、そのようなフランジ接続部も燃焼ガスの漏出箇所となり得る。
【０００４】
そこで、従来においては、前記したような箇所から燃焼ガスが漏出しないように気密シール性を高めているが、そのための手段としては、たとえば高価なシール用パッキンを多用したり、あるいは部材のビス止め箇所を多くするといった手段が採用されているのが実情である。これでは、生産性が悪く、製造コストが高くなる。
【先行技術文献】
【特許文献】
【０００５】
【特許文献１】特許第４５４４５１２号公報
【特許文献２】実開昭６２−１０８７５２号公報
【発明の概要】
【発明が解決しようとする課題】
【０００６】
本発明は、前記したような事情のもとで考え出されたものであり、燃焼ガスが外部に漏出することを簡易な構成によって適切に防止または抑制し、製造コストの低減を図ることが可能な温水装置を提供することを、その課題としている。
【課題を解決するための手段】
【０００７】
上記の課題を解決するため、本発明では、次の技術的手段を講じている。
【０００８】
本発明により提供される温水装置は、ファンから燃焼用空気の供給を受けるバーナと、熱回収用の熱交換器と、前記バーナの燃焼室を内部に形成し、かつ前記バーナにより発生された燃焼ガスを前記熱交換器に導くことが可能とされた燃焼室ケースと、を備えている、温水装置であって、前記燃焼室ケースを囲むユニットケースを、さらに備えており、このユニットケース内のうち、前記燃焼室ケースの外側領域は、前記燃焼室よりも高圧の空気圧力室とされていることを特徴としている。
【０００９】
このような構成によれば、次のような効果が得られる。
すなわち、ユニットケース内のうち、燃焼室ケースの外側領域が燃焼室よりも高圧の空気圧力室とされていれば、これらの圧力差に基づき、燃焼室の燃焼ガスが前記空気圧力室に漏出することは適切に防止または抑制される。したがって、燃焼室ケースに蓋部材により閉塞される開口部を設けたり、点火プラグやその他の部品を取付けた場合に、それらの部分の気密シール性がさほど優れていない場合であっても、燃焼ガスの漏出防止を図ることが可能である。その結果、本発明によれば、高価なシール用パッキンを多用したり、部材のビス止め箇所を多くするといった必要をなくすことができ、従来技術と比較して、温水装置の生産性の向上、および製造コストの低減を図ることが可能である。
【００１０】
本発明において、好ましくは、前記空気圧力室は、前記ユニットケース内のうち、前記熱交換器の外側領域まで延設されており、かつ前記空気圧力室は、前記熱交換器の内側領域よりも高圧である。
【００１１】
このような構成によれば、熱交換器内の燃焼ガスが空気圧力室に不当に漏出することも適切に防止することが可能となる。したがって、熱交換器から燃焼ガスが漏出することを防止するためのシール構造の簡素化などを好適に図り、生産性の向上、および製造コストの低減をより促進することができる。
【００１２】
本発明において、好ましくは、前記ファンから吐出された燃焼用空気の一部は、前記燃焼室ケース内における前記バーナの設置領域に供給され、かつ他の一部は、前記空気圧力室に供給されるように構成されている。
【００１３】
このような構成によれば、前記ファンから吐出された燃焼用空気の一部を空気圧力室に供給させることにより、空気圧力室を燃焼室や熱交換器内よりも高圧にすることが可能である。したがって、空気圧力室を高圧にするための専用のファンを、前記ファンとは別に設ける必要をなくすことができる。なお、１つのファンから吐出される空気を、燃焼室側と空気圧力室側とに分配供給させた場合であっても、燃焼室側よりも空気圧力室側の方が空気流れの抵抗が小さければ、燃焼室側よりも空気圧力室側の方が高圧となる。
【００１４】
本発明において、好ましくは、前記ユニットケースは、互いに連結可能とされたユニットケース前部とユニットケース後部とを備えており、これらユニットケース前部およびユニットケース後部は、前記燃焼室ケースおよび前記熱交換器をその前後方向から挟むようにして互いに組み付け可能とされている。
【００１５】
このような構成によれば、ユニットケースの部品点数を少なくし、かつその組み付け性を良好にしつつ、燃焼室ケースおよび熱交換器をユニットケースの内部に適切に収容することができる。
【００１６】
本発明において、好ましくは、前記ユニットケース前部と前記ユニットケース後部とのそれぞれの外周にはフランジ部が設けられ、かつこれらのフランジ部どうしが互いに当接してカシメられていることにより、前記ユニットケース前部と前記ユニットケース後部との連結が図られている。
【００１７】
このような構成によれば、ユニットケース前部とユニットケース後部との連結が容易化され、ユニットケースの組み立てコストを廉価にすることができる。また、前記フランジ部どうしのカシメ部分に、仮に、シール性が十分ではない箇所が存在したとしても、その内側が空気圧力室であれば、この内側部分には燃焼ガスは存在しないはずであるから、前記箇所から燃焼ガスがユニットケースの外部に漏出することはない。したがって、ユニットケース前部とユニットケース後部との連結手段として、カシメ手段を採用したとしても、このことが燃焼ガスの漏出原因となることは適切に回避することができる。
【００１８】
本発明において、好ましくは、前記熱交換器の入水用管体部または出湯用管体部の少なくとも一方は、前記ユニットケース前部および前記ユニットケース後部の合わせ面に挟まれるようにして前記ユニットケースの内部から外部に引き出されている。
【００１９】
このような構成によれば、熱交換器の入水用管体部または出湯用管体部をユニットケースの内部から外部に引き出すための組み立て作業が容易となる。管体部引き出し専用の孔部をユニットケースに別途設ける必要もない。
【００２０】
本発明において、好ましくは、前記燃焼室ケースの前面部には、第１の開口部が設けられ、かつこの第１の開口部は、燃焼室前蓋により閉塞可能とされており、前記ユニットケースの前面部には、第２の開口部が設けられ、かつこの第２の開口部は、ユニットケース前蓋により閉塞可能とされており、前記第１および第２の開口部を開放させた状態においては、前記バーナを前記ユニットケースの外部から前記燃焼室ケース内に出し入れ可能とされている。
【００２１】
このような構成によれば、バーナのメンテナンス作業などを行なう上で便利である。
【００２２】
本発明において、好ましくは、前記ファンおよびその駆動モータは、前記ユニットケース内に収容されている。
【００２３】
このような構成によれば、ファンおよびその駆動モータから発せられる駆動音を、ユニットケースによって遮断し、騒音低減効果を得ることができる。
【００２４】
本発明において、好ましくは、前記ファンおよびその駆動モータは、前記バーナの下方に位置するようにして前記ユニットケース内に収容され、かつ前記第１および第２の開口部に接近する部分ほど高さが低くなるように前下がり状に傾斜した姿勢に設けられている。
【００２５】
このような構成によれば、図９を参照して後述するように、第１および第２の開口部からユニットケースおよび燃焼室ケース内に工具を差し入れるなどして、ファンおよびその駆動モータなどのメンテナンス作業を行なう場合に、その作業がし易くなり、便利である。
【００２６】
本発明において、好ましくは、前記バーナに燃料ガスを供給するための燃料ガス噴出ヘッドが、前記バーナの前側に位置するようにして前記ユニットケース内に配されており、前記燃料ガス噴出ヘッドの前側領域は、前記空気圧力室の一部とされている。
【００２７】
このような構成によれば、燃料ガス噴出ヘッドから噴出された燃料ガスが、燃料ガス噴出ヘッドの前側領域に不当に進行することをより確実に防止することができる。
【００２８】
本発明において、好ましくは、前記燃焼室ケースの上部には、前記熱交換器の伝熱管を嵌入保持可能な上向き開口状の凹状部が設けられている。
【００２９】
このような構成によれば、伝熱管を前記した凹状部に嵌入保持させることにより、熱交換器を燃焼室ケースの上部に支持させることができ、熱交換器の取付け構造の簡素化、および取付け作業の容易化が図られる。
【００３０】
本発明において、好ましくは、前記熱交換器を１次熱交換器とするように、前記熱交換器とは別体で構成された湯水加熱用の２次熱交換器を、さらに備えており、前記ユニット
ケースの上部には、前記ユニットケースの他の部分よりも前後幅が小さくされた幅狭部と、この幅狭部の下部の前側または後側に連設され、かつ前記２次熱交換器が載設される棚状壁部と、が設けられており、前記幅狭部の前壁部または後壁部には、排気口が設けられ、前記バーナから上向きに進行して前記熱交換器を通過した燃焼ガスは、前記排気口を介して前記２次熱交換器に供給されるように構成されている。
【００３１】
このような構成によれば、２次熱交換器を利用して熱交換効率を高めることができることは勿論のこと、１次熱交換器を通過した燃焼ガスを、２次熱交換器に導くための手段として、それ専用の部材（排気集合筒と称される部材）を用いる必要はない。
【００３２】
本発明において、好ましくは、温度の異常上昇を感知させるための温度ヒューズが、前記空気圧力室に設けられている。
【００３３】
このような構成によれば、温度ヒューズを利用して温水装置の安全性を高めることができるが、温度ヒューズが空気圧力室に設けられているため、燃焼室ケースや熱交換器にいわゆる穴開きが生じ、高温の燃焼ガスが空気圧力室に流入する現象（空気圧力室の圧力によって燃焼ガスの漏出を防止し得る状態の破綻）を生じた場合には、この現象を前記温度ヒューズによって適切に感知させることが可能である。温度ヒューズとして、長寸法のものを用いる必要もなく、小サイズ化、低コスト化を図ることが可能である（従来では、たとえば熱交換器の周囲に長寸の温度ヒューズを巻き付けるといったことがなされていた）。
【００３４】
本発明において、好ましくは、前記温度ヒューズが設けられている箇所に空気流れが生じるように、前記空気圧力室内の空気を前記空気圧力室とは異なる部位に流出させるための空気通路を備えている。
【００３５】
このような構成によれば、空気圧力室の空気が滞留することに起因して温度ヒューズが設けられている箇所の温度が異常上昇することが防止され、温度ヒューズの作動の安定化を図ることができる。
【００３６】
本発明のその他の特徴および利点は、添付図面を参照して以下に行なう発明の実施の形態の説明から、より明らかになるであろう。
【図面の簡単な説明】
【００３７】
【図１】本発明に係る温水装置の一例を示す外観斜視図である。
【図２】図１に示す温水装置の側面断面図である。
【図３】図２の分解断面図である。
【図４】図１に示す温水装置の分解斜視図である。
【図５】図４に示された構成要素の一部を示す拡大斜視図である。
【図６】図１に示す温水装置の１次熱交換器に関連する構成を示す要部斜視図である。
【図７】図６の分解斜視図である。
【図８】（ａ）は、図７のVIIIa−VIIIa断面図であり、（ｂ）は、（ａ）の VIIIb−VIIIb断面図であり、（ｃ）は、（ａ）の VIIIc−VIIIc断面図である。
【図９】本発明の他の例を示す断面図である。
【発明を実施するための形態】
【００３８】
以下、本発明の好ましい実施の形態について、図面を参照して具体的に説明する。
【００３９】
図１に示す温水装置ＷＨは、給湯装置として構成されており、図２〜図４に示すように
、複数のバーナ１が横並び状態で保持されたバーナユニットＢＵ（バーナセット）、燃焼室ケース２、燃料ガス噴出ヘッド３、ファン４およびその駆動モータＭ、１次熱交換器ＨＥ１、２次熱交換器ＨＥ２、ユニットケース５、ならびに温度ヒューズＦ（図４では省略）を備えている。
ユニットケース５の内側領域のうち、燃焼室ケース２および１次熱交換器ＨＥ１の外側領域には、後述する空気圧力室５９が設けられている。１次熱交換器ＨＥ１は、本発明でいう「熱交換器」の一例に相当する。
【００４０】
複数のバーナ１は、ガスバーナであり、図５に示すように、全体が偏平な形態を有し、前端にはガス導入口１０が設けられ、かつこのガス導入口１０から燃焼用空気とともに内部に導入された燃料ガスを上面の炎孔面１１において燃焼させることが可能である。バーナユニットＢＵは、複数のバーナ１を整流板６上に整列させて載置保持させたものである。整流板６は、ファン４から供給される燃焼用空気を燃焼室２９に向けて上向きに通過させるための複数の通気孔６０を有している（図２を参照）。整流板６の前部に起立して設けられた前側起立壁部６１には、燃料ガス噴出ヘッド３のノズル３０から噴射される燃料ガスを各バーナ１のガス導入口１０に導入させることが可能な孔部６２が設けられている。燃料ガス噴出ヘッド３は、その背板部３１の上部を前側起立壁部６１にビス９７ａを用いて締結することにより、バーナユニットＢＵに組み付けられている。背板部３１の前側領域（図２の左側領域）は、後述する空気圧力室５９の一部となっている。
【００４１】
図４において、燃焼室ケース２は、前面が開口した平面視コ字状の枠体部２０の前側上部に、前壁部２２が接合された構成を有しており、この前壁部２２の下方が第１の開口部２１となっている。この第１の開口部２１は、燃焼室前蓋２Ａによって閉塞可能である。図２および図５によく表われているように、燃焼室前蓋２Ａは、バーナユニットＢＵの前側起立壁部６１にビス９７ｂを介して取付けられており、バーナユニットＢＵを燃焼室ケース２内に収容させることにより、第１の開口部２１は燃焼室前蓋２Ａによって塞がれる。燃焼室前蓋２Ａには、点火プラグ６５や、炎検出用のフレームロッド６６が貫通した状態で取付けられている。図４において、燃焼室ケース２の左右両側壁部２０ａの下部には、前後方向に延びた略水平状の一対の折り曲げ支持片２３が設けられており（図６，図７も参照）、これら一対の折り曲げ支持片２３上にバーナユニットＢＵを載せることが可能である。
【００４２】
図６および図７に示すように、１次熱交換器ＨＥ１は、蛇行状の伝熱管７と、この伝熱管７に接合されたプレート状の複数のフィン８とを備えている（図６は、フィン８を一部省略して示している）。複数のフィン８は、伝熱管７の直状管体部７０の長手方向に所定間隔で並んでいる。
【００４３】
燃焼室ケース２の上部には、上向きに開口した複数の凹状部２４が設けられている。これに対し、伝熱管７のうち、両端のフィン８（８ａ）の外側に突出しているベンド管７１、および出湯用管体部７２ｂのそれぞれの基部は、凹状部２４に嵌入される。このことにより、１次熱交換器ＨＥ１は、燃焼室ケース２の上部に支持されている。両端のフィン８（８ａ）の下部寄り領域と燃焼室ケース２の左右両側壁部２０ａとは、これらの間にできる限り隙間を生じないように互いに接触している。
【００４４】
本実施形態においては、フィン８は、割線ＰＬを介して分割された第１および第２のフィンプレート８ａ，８ｂを組み合わせて構成されている。このような構成によれば、第１および第２のフィンプレート８ａ，８ｂによって伝熱管７を挟み込むようにしてフィン８を取り付けることができるため、伝熱管７に対するフィン８の組み付け作業が容易化される。
【００４５】
各フィン８は、ユニットケース５の上部の形状に対応すべく側面視略Ｌ字状とされている。より具体的には、図２に示すように、ユニットケース５の上部は、２次熱交換器ＨＥ２を簡易かつ合理的に接続するための手段として、ユニットケース５の下部側よりも前後幅が小さくされた幅狭部５０、その前壁部５０ａに設けられた排気口５６、および前壁部５０ａの下部に連設された棚状壁部５０ｂを備えている。棚状壁部５０ｂ上には、２次熱交換器ＨＥ２が載設され、１次熱交換器ＨＥ１を通過した燃焼ガスは、排気口５６から２次熱交換器ＨＥ２内に送り込まれる。各フィン８は、前記した幅狭部５０内に上部が位置し、かつそれ以外の部分が棚状壁部５０ｂの下面に沿うべく側面視形状が既述した略Ｌ字状とされている。伝熱管７の複数の直状管体部７０もそれに対応した配列に設けられている。
【００４６】
各フィン８は、略水平状に折り曲げられた折り曲げ片部８１ａ，８１ｂを備えている。折り曲げ片部８１ａ，８１ｂは、１次熱交換器ＨＥ１に向けてその下方から進行してくる燃焼ガスを、排気口５６に効率よく導くための部分であり、一方の折り曲げ片部８１ａは、フィン８の前寄り部分の上縁部に設けられている。他方の折り曲げ片部８１ｂは、フィン８の後寄り部分の上縁部から後側縁部にわたって一連に設けられている。フィン８のうち、排気口５６に対向する部分には、前記したような折り曲げ片部は設けられていない。
【００４７】
図７および図８によく表われているように、互いに隣接する折り曲げ片部８１ａどうし、および折り曲げ片部８１ｂどうしは、それらの間に隙間が生じないように互いに接触している（ただし、後述する空気通路としての開口部５８の形成箇所は除く）。このような構成によれば、１次熱交換器ＨＥ１に向けてその下方から進行してきた燃焼ガスは、フィン８の相互間の隙間に進入した後に、折り曲げ片部８１ａ，８１ｂに衝突することにより、フィン８の相互間をそのまま上向きに通過することが阻止される。前記燃焼ガスは、折り曲げ片部８１ａ，８１ｂによって排気口５６に円滑にガイドされる。したがって、本実施形態においては、１次熱交換器ＨＥ１を通過した燃焼ガスを２次熱交換器ＨＥ２にガイドするための専用部材は用いられていない。
図８（ｂ）において、符号８２は、伝熱管７に外嵌した状態に設定されるバーリング部である（他の図では、このバーリング部８２を簡略化または省略している）。
図２に示すように、フィン８の折り曲げ片部８１ａ，８１ｂには、燃焼室ケース２の前壁部２２および後壁部２０ｂのそれぞれの上端が当接し、これらの部分から燃焼ガスが漏出しないようにされている。
【００４８】
２次熱交換器ＨＥ２は、潜熱回収用であり、ケース９０内に伝熱管９１が収容された構成である。ユニットケース５の排気口５６を通過した燃焼ガスは、ケース９０内に進行し、伝熱管９１によって潜熱回収がされた後に、排気口９２から外部に排気される。この２次熱交換器ＨＥ２の出湯用管体部は、１次熱交換器ＨＥ１の入水用管体部７２ａに接続されており、２次熱交換器ＨＥ２によって加熱された湯水が１次熱交換器ＨＥ１の伝熱管７に送られるようになっている。
【００４９】
ユニットケース５は、燃焼室ケース２および１次熱交換器ＨＥ１の全体を囲み込むケースであり、図４に示すように、ユニットケース前部５ａとユニットケース後部５ｂ（以下、「ユニットケース前部５ａおよび後部５ｂ」と適宜略称する）とを備えている。ユニットケース前部５ａは、上部および左右両側部に連続して形成されたフランジ部５３ａと、このフランジ部５３ａから前方に膨出した膨出部５４ａとを有する後面部および下面部が開放状の部材である。ユニットケース後部５ｂは、上部および左右両側部に連続して形成されたフランジ部５３ｂと、このフランジ部５３ｂから後方に膨出した膨出部５４ｂとを有する前面部および下面部が開放状の部材である。これらユニットケース前部５ａおよび後部５ｂは、燃焼室ケース２および１次熱交換器ＨＥ１をその前後方向から挟むようにして組み付けられている。
【００５０】
ユニットケース前部５ａおよび後部５ｂの組み付けは、合わせ面としてのフランジ部５３ａ，５３ｂどうしが互いに当接し、かつカシメられていることにより図られている。このカシメは、図２の要部拡大図に示すように、たとえばフランジ部５３ａ，５３ｂの一方に折り返し片部５３ｃを延設しておき、かつこの折り返し片部５３ｃと、フランジ部５３ａ，５３ｂの一方とによって、他方を挟み込む構造である。このような構成によれば、ユニットケース前部５ａおよび後部５ｂの多数箇所をビス止めする必要がない。
【００５１】
図４において、フランジ部５３ａ，５３ｂには、互いに対向する一対の凹状部５５ａ，５５ｂが設けられている。フランジ部５３ａ，５３ｂを接合させる場合には、前記した一対の凹状部５５ａ，５５ｂが組み合わされて構成される開口部に、１次熱交換器ＨＥ１の入水用管体部７２ａを配置させた上で、この入水用管体部７２ａを一対の凹状部５５ａ，５５ｂの内面部によって前後両側から挟み付けるように設定されている。このことにより、入水用管体部７２ａとユニットケース５との間に隙間を生じないようにしつつ、入水用管体部７２ａをユニットケース５の内部から外部に引き出すことができる。出湯用管体部７２ｂについては、後述するように、ユニットケース５内からその下方に引き出されている。
【００５２】
ユニットケース５の前壁部には、第２の開口部５２が設けられており、この第２の開口部５２は、ユニットケース前蓋５Ａによって閉塞可能である。図２に示すように、ユニットケース前蓋５Ａは、ユニットケース５の前壁部にビス９７ｃを介して取付けられているが、この取付け箇所のシール性を確保する手段として、矩形の枠状部材４８が介装されている。また、点火プラグ６５およびフレームロッド６６の取付け箇所のシール性を確保するためのパッキン４７も用いられている。
【００５３】
第２の開口部５２は、図３に示すように、バーナユニットＢＵをユニットケース５の内外に出し入れ可能なサイズである。好ましくは、バーナユニットＢＵに燃焼室前蓋２Ａが取付けられた状態のまま、これらをユニットケース５内に出し入れ可能なサイズとされている。ユニットケース５は、ユニットケース前蓋５Ａを用いて第２の開口部５２を閉塞させた状態においては、既述した排気口５６と、後述するファン用の給気口５７とを除き、内部が気密性をもつように構成されている。
【００５４】
ファン４および駆動モータＭは、ユニットケース５の底蓋５Ｂの上面側に組み付けられており、ユニットケース５内に収容され、かつバーナユニットＢＵの下方に位置している。底蓋５Ｂは、ユニットケース５の下部開口部を塞ぐように不図示のビスなどを用いてユニットケース５に取付けられており、ファン４の吸気口に連通する給気口５７を有している。好ましくは、底蓋５Ｂは、アルミダイカスト製など、比較的厚肉の金属製とされている。このような構成によれば、駆動モータＭの冷却効果や、ファン４の駆動時の騒音や振動を抑制する効果を優れたものとすることができる。
【００５５】
底蓋５Ｂの取付けに際しては、好ましくは、図５に示すようなシール用パッキン４６が用いられる。このシール用パッキン４６および底蓋５Ｂには、第１の凹状部４６ａ，５１ａ、および第２の凹状部４６ｂ，５１ｂが設けられている。第１の凹状部４６ａ，５１ａは、１次熱交換器ＨＥ１の出湯用管体部７２ｂを、ユニットケース５内からその下方外部に引き出すための部位である。第２の凹状部４６ｂ，５１ｂは、燃料ガス噴出ヘッド３に連結されている燃料ガス供給部３５を配置させるための部位である。図４に示すように、ユニットケース前部５ａには、第３の凹状部５１ｃが設けられているが、この第３の凹状部５１ｃにも燃料ガス供給部３５が配置される。
【００５６】
図２において、ファン４は、羽根車の周囲に送風を行なうものであるが、ファン４の上
側には、仕切りプレート４５を利用した送風用の開口部４４が設けられており、ファン４から吐出される空気は、この開口部４４を上向きに通過するようになっている。この空気は、バーナ１のガス導入口１０に進行する燃焼用の１次空気として、また通気孔６０を通過してバーナ１の設置領域に進行していく２次空気として利用される他、ユニットケース５内のうち、燃焼室ケース２および１次熱交換器ＨＥ１の外側領域にも進行していくように構成されている。
【００５７】
前記した外側領域は、空気圧力室５９であり、その圧力Ｐ３は、燃焼室２９の圧力Ｐ１、および１次熱交換器ＨＥ１内の圧力Ｐ２（フィン８の相互間の隙間内の圧力）よりも高圧である。燃焼室２９および１次熱交換器ＨＥ１内の圧力Ｐ１，Ｐ２は、通気孔６０やバーナ１による空気流路抵抗が大きいため、共通のファン４から空気を供給しているにも拘わらず、前記したような圧力差を生じさせることが可能である。
【００５８】
温度ヒューズＦは、空気圧力室５９に設けられており、好ましくは、空気圧力室５９の上部に設けられている。温度ヒューズＦは、温度が異常上昇し、所定温度以上になると断線を生じるように構成されており、断線時には、たとえば燃料ガス配管系統の元電磁弁を閉状態とするように設定される。本実施形態では、温度ヒューズＦが設けられている箇所に空気流れを生じさせる空気通路としての開口部５８が設けられている。この開口部５８は、たとえば１次熱交換器ＨＥ１のフィン８の折り曲げ片部８１ｂの一部を省略するなどして設けられている。このような構成によれば、空気圧力室５９の空気は、開口部５８を通過してフィン８の相互間に流入してから排気口５６および２次熱交換器ＨＥ２内に進行する。このことにより、温度ヒューズＦの設置箇所に空気が滞留することはなく、温度ヒューズＦの動作を安定させ、温度の異常上昇感知性能の信頼性を高める上で、より好ましいものとなる。
【００５９】
次に、前記した温水装置ＷＨの作用について説明する。
【００６０】
まず、燃焼室２９および１次熱交換器ＨＥ１内の圧力Ｐ１，Ｐ２と、その外側領域としての空気圧力室５９の圧力Ｐ３とは、Ｐ３＞Ｐ１，Ｐ３＞Ｐ２の関係にある。このため、燃焼室２９および１次熱交換器ＨＥ１内の燃焼ガスが、空気圧力室５９に漏出することは適切に防止または抑制される。その結果、燃焼室ケース２や１次熱交換器ＨＥ１の各部や他の部材との取付け箇所の気密シール性をさほど優れたものにしなくても、燃焼ガスが燃焼室２９や１次熱交換器ＨＥ１の外側に漏出しないようにすることが可能である。
【００６１】
具体例を挙げると、燃焼室ケース２と燃焼室前蓋２Ａとの当接箇所、燃焼室ケース２と１次熱交換器ＨＥ１のフィン８との当接箇所、フィン８の折り曲げ片部８１ａどうしの当接箇所、折り曲げ片部８１ｂどうしの当接箇所、および点火プラグ６５や、炎検出用のフレームロッド６６の取付け箇所などについては、高価なシール用パッキンを用いたり、あるいは互いに当接する部材の寸法管理を厳格化し、その部材どうしを高い気密シール性が得られるように高精度で組み付けるといった必要をなくすことが可能である。このようなことにより、温水装置ＷＨの全体の生産性を高め、その製造コストを廉価にすることが可能である。
【００６２】
燃料ガス噴出ヘッド３の前側領域（ノズル３０とは反対側）は、空気圧力室５９の一部とされているため、燃料ガス噴出ヘッド３から噴出された燃料ガスが、燃料ガス噴出ヘッド３の前側領域に不当に進行することも的確に防止される。
【００６３】
ユニットケース５は、既述したように、ユニットケース前部５ａおよび後部５ｂを組み合わせたものであり、その構成は簡易である。また、それらの組み付け手段としては、それぞれが一連に繋がったフランジ部５３ａ，５３ｂどうしを対向接触させた上で、これら
をカシメる手段が採用されているために、これらの多数箇所をビス止めするような手段と比較すると、その生産性もよい。したがって、製造コストを廉価にする上で、より好ましいものとなる。フランジ部５３ａ，５３ｂのカシメ箇所の内側領域は、空気圧力室５９であり、燃焼ガスが存在しない領域となっているため、万一、カシメ部分の一部に気密性がやや劣る箇所が存在したとしても、この部分から外部に燃焼ガスが漏出することはない。
【００６４】
図３に示したように、ユニットケース前蓋５Ａを取り外して、第２の開口部５２を開放状態とした場合には、バーナユニットＢＵをユニットケース５の手前に取り出すことが可能である。したがって、バーナユニットＢＵのメンテナンス作業なども容易である。また、バーナユニットＢＵを外部に取り出した状態では、第１および第２の開口部２１，５２を介してファン４および駆動モータＭのメンテナンス作業を行なうことも可能である。ファン４および駆動モータＭは、ユニットケース５内に収容されているため、それらから発生する駆動音をユニットケース５によって遮断し、騒音低減効果を得ることもできる。
【００６５】
その他、本実施形態によれば、燃焼室ケース２への１次熱交換器ＨＥ１の組み付け構造が簡素であり、また１次熱交換器ＨＥ１を通過した燃焼ガスを２次熱交換器ＨＥ２に導くための専用部品も不要であるため、温水装置ＷＨの全体の製造コスト低減を、より促進することが可能である。さらに、本実施形態によれば、温度ヒューズＦを小サイズ化し、その部品コストを廉価にしながらも、いわゆる穴開きなどに起因する温度の異常上昇を的確に感知させることが可能であり、安全性にも優れたものとすることができる。
【００６６】
図９は、本発明の他の実施形態を示している。同図において、前記実施形態と同一または類似の要素には、前記実施形態と同一の符号を付すこととし、その重複説明は省略する。
【００６７】
図９に示す実施形態においては、ファン４および駆動モータＭが、前下がり状に傾斜した姿勢に設けられている。この構成は、ファン４および駆動モータＭが取付けられる底蓋５Ｂの上面が前下がり状に傾斜していることにより図られている。
【００６８】
本実施形態によれば、ファン４や駆動モータＭの取付け箇所が、第１および第２の開口部２１，５２を介して外部から見易くなる。また、ドライバなどの工具９８をファン４や駆動モータＭの取付け箇所に差し入れる場合、ドライバを鉛直方向に起立させた姿勢にする必要もなくなるため、たとえば工具９８の握り部をユニットケース５の外部に位置させたまま、メンテナンス作業を行なうといったことも可能となる。工具９８の全体をユニットケース５内に進入させて、工具９８を鉛直方向に起立させる場合には、工具９８の上端が１次熱交換器ＨＥ１に干渉するような虞があるが、本実施形態では、そのような虞を無くし、または少なくし、作業性をよくすることが可能である。
【００６９】
本発明は、上述した実施形態の内容に限定されない。本発明に係る温水装置の各部の具体的な構成は、本発明の意図する範囲内において種々に設計変更自在である。
【００７０】
上述した実施形態では、燃焼室ケースに熱交換器（１次熱交換器）の伝熱管を直接保持させているが、本発明はこれに限定されない。たとえば、熱交換器を、枠状の缶体内に伝熱管が収容された構造とし、かつ前記缶体と燃焼室ケースとを相互に接続するといった構成を採用することもできる。熱交換器の具体的な構成は、限定されない。
本発明では、２次熱交換器を設けない構成とすることもできる。
【００７１】
空気圧力室は、上述した実施形態のように、燃焼室ケースの外側領域に加えて、熱交換器の外側領域にも設けることが望ましいが、これに代えて、燃焼室ケースの外側領域のみに空気圧力室を設けた構成とすることもできる。このような構成であっても、従来技術と
比較すれば、燃焼ガスの漏出防止効果が得られる。
【００７２】
ユニットケースは、ユニットケース前部とユニットケース後部とを組み合わせたものに限定されず、これ以外の構成とすることもできる。ユニットケースの形状は、上述した実施形態のように、上部に幅狭部が設けられた形状に限らず、そのような幅狭部を有しない形状とすることもできる。ユニットケースの排気口は、ユニットケースの前壁部に設けることに代えて、たとえば後壁部に設けることも可能である。ファンおよびその駆動モータは、ユニットケースの内部に設けることが好ましいが、ユニットケースの外部に露出させた状態で設けてもよい。ファンの種類も限定されない。
【００７３】
本発明に係る温水装置は、給湯装置に限定されず、たとえば暖房用温水装置や、融雪用温水装置などとして構成することも可能である。さらに、本発明は、バーナにより発生させた燃焼ガスを下向きに進行させ、バーナの下方に位置する熱交換器に供給させる逆燃焼方式の温水装置にも適用可能である。
【符号の説明】
【００７４】
ＷＨ  温水装置
ＨＥ１  １次熱交換器（熱交換器）
Ｆ  温度ヒューズ
Ｍ  駆動モータ（ファンの）
１  バーナ
２  燃焼室ケース
２Ａ  燃焼室前蓋
２１  第１の開口部
２４  凹状部
２９  燃焼室
３  燃料ガス噴出ヘッド
４  ファン
５  ユニットケース
５Ａ  ユニットケース前蓋
５ａ  ユニットケース前部
５ｂ  ユニットケース後部
５０  幅狭部
５２  第２の開口部
５３ａ，５３ｂ  フランジ部
５８  開口部（空気通路）
５９  空気圧力室
７２ａ  入水用管体部
７２ｂ  出湯用管体部
【図１】
2019060521.tif 000003
【図２】
2019060521.tif 000004
【図３】
2019060521.tif 000005
【図４】
2019060521.tif 000006
【図５】
2019060521.tif 000007
【図６】
2019060521.tif 000008
【図７】
2019060521.tif 000009
【図８】
2019060521.tif 000010
【図９】
2019060521.tif 000011